(57)【特許請求の範囲】
【請求項１】
上辺、垂直辺、前記上辺に平行な下辺の長さ比が１：２：３であり、前記垂直辺の対向部に斜辺が形成された台形ブロックの適数が切断可能な溝を介して連結成形されなることを特徴とする異形ブロック。
【請求項２】
前記切断可能な溝部がＶ状溝であることを特徴とする請求項１記載の異形ブロック。
【請求項３】
前記切断可能な溝の他に上面にランダムに浅い目地溝が施されてなることを特徴とする請求項１または２に記載の異形ブロック。
【請求項４】
周縁部に、接合する異形ブロック周縁部との間でＶ状溝が構成される傾斜面が形成されてなることを特徴とする請求項１、２または３に記載の異形ブロック。
【請求項５】
上辺、垂直辺、前記上辺に平行な下辺の長さ比が１：２：３であり、前記垂直辺の対向部に斜辺が形成された台形ブロックの適数が切断可能な溝部を介して連結成形された異形ブロック及び該異形ブロックを前記溝部において切断分離した異形ブロック片を接合配置し、その後、前記溝部及び接合部の目地詰を行うことを特徴とする異形ブロックの敷設方法。
【請求項６】
前記異形ブロックの切断可能な溝部がＶ状溝であることを特徴とする請求項５に記載の異形ブロックの敷設方法。
【請求項７】
前記異形ブロックが前記切断可能な溝の他に上面にランダムに施された浅い目地溝を有することを特徴とする請求項５または６に記載の異形ブロックの敷設方法。
【請求項８】
前記異形ブロックの周縁部に、接合する異形ブロックの周縁部との間でＶ状溝が形成される傾斜面が形成されてなることを特徴とする請求項５、６または７に記載の異形ブロックの敷設方法。
【発明の詳細な説明】
【０００１】
【発明の属する技術分野】
本発明は、道路、建築物等に使用される異形ブロック及びその敷設方法に関すし、特に、形状の異なる多くの自然石を接合敷設した状態を得ることができることを特徴とする。
【０００２】
【従来の技術】
従来、道路、建築物用等、各種のブロックが提供されているが、それらは、いずれも製造及び使用形態が定型化されているものであった。また、特定の形状を有しない自然石を接合した斬新な敷設面を構成するには、多くの自然石の入手、接合面の加工はもとより、目地巾を揃えた敷設作業に技術と手数を要し、各種の困難が伴うものであった。
【０００３】
【発明が解決しようとする課題】
本発明は、前記事情に鑑み為されたもので、特定の形状を有しない多くの自然石を接合したと同様の斬新な敷設面を容易に構成できる異形ブロックと、その敷設方法を提供することを目的とする。
【０００４】
【課題を解決するための手段】
前記目的を達成するため、請求項１に示す本発明の異形ブロックは、上辺、垂直辺、前記上辺に平行な下辺の長さ比が１：２：３であり、前記垂直辺の対向部に斜辺が形成された台形ブロックの適数を切断可能な溝部を介して連結成形されてなることを特徴とする。
【０００５】
すなわち、前記本発明の異形ブロックは、前記各辺が特定の長さ比を有する台形ブロックが、切断可能な溝を介して任意の辺において適数連結されて成形されてなり、さらに、前記切断可能な溝部は、大がかりな機械等を用いることなく、敷設現場において、たがね等の治具類を利用して他の部分を損傷させることなく分離できるものであり、前記連結成形時に薄肉部として構成される。
【０００６】
この請求項１によれば、前記異形ブロックと、該異形ブロックを適宜切断分離した異形ブロック片を組み合わせて必要とするエリアの敷設が可能であり、自然石を接合したと同様の斬新な敷設面を得ることができ、さらに、敷設端部の直線部や角部の形成も前記切断分離した異形ブロック片を利用して容易であり、切断分離した異形ブロック片の全部を有効利用でき無駄を生ぜしめることがない。
【０００７】
請求項２に示す実施の一形態は、前記請求項１の異形ブロックに形成されれた切断可能な溝部がＶ状溝であることを特徴とする。この請求項２の実施の一形態によれば、切断の容易化が図られるとともに、切断個所の均一化及び切断によって均一化された傾斜面が生じるため、接合する異形ブロック間、該異形ブロックと異形ブロック片間及び該異形ブロック片間に形成される目地巾も均一化され、敷設作業の容易化及び敷設後の体裁が向上する。
【０００８】
請求項３に示す実施の一形態は、前記請求項１または２の異形ブロックの上面に、前記切断可能な溝の他に浅い目地溝をランダムに施したことを特徴とする。ここで浅い目地溝とは、切断を予定せず、後に目地詰めが行われる装飾を兼ねた目地溝である。
【０００９】
この請求項３の実施の一形態によれば、後の目地詰め時には、前記切断を予定しない浅い目地溝が、前記異形ブロック間、該異形ブロックと異形ブロック片間及び異形ブロック片間に生じる目地溝と同様に機能し、後の目地詰めにより、より多くの自然石の接合感が得られる。
【００１０】
請求項４に示す、実施の一形態は、前記請求項１、２または３における異形ブロックの周縁部に、接合する異形ブロック周縁部との間でＶ状溝が構成される傾斜面を形成したことを特徴とする。
【００１１】
この請求項４の実施の一形態によれば、接合する異形ブロック同士、該異形ブロックと前記異形ブロック片及び該異形ブロック片間でＶ状溝が構成され、それらの間に形成される目地巾が均一化され、敷設作業の容易化及び敷設後の体裁が向上する。
【００１２】
請求項５に示す本発明の異形ブロックの敷設方法は、上辺、垂直辺、前記上辺に平行な下辺の長さ比が１：２：３であり、前記垂直辺の対向部に斜辺が形成された台形ブロックの適数が切断可能な溝部を介して連結成形された異形ブロック及び該異形ブロックを前記溝部において切断した異形ブロック片を接合配置し、その後、前記溝部及び前記接合部の目地詰を行うことを特徴とする。
【００１３】
この請求項５によれば、異形ブロックと、該異形ブロックを溝部において切断した異形ブロック片と組み合わせ接合することにより、必要とするエリアの敷設が可能であり、さらに多様な敷設面を容易に構成することができ、敷設端部の直線部や角部の形成も前記異形ブロック片を利用して容易であり、切断分離した異形ブロック片の全部を有効利用でき無駄を生ぜしめることがない。
【００１４】
請求項６に示す実施の一形態は、前記請求項５の敷設方法において、使用される異形ブロックの切断可能な溝部がＶ状溝であることを特徴とする。この請求項６によれば、切断個所の均一化及び切断によって均一化された傾斜面が生じるため、隣接する異形ブロック及び異形ブロック片との間に構成される目地巾が均一化され、敷設作業の容易化及び敷設後の体裁が向上する。
【００１５】
請求項７に示す実施の一形態は、前記請求項５及び６の敷設方法において、使用される異形ブロックの上面に、前記切断可能な溝の他に浅い目地溝がランダムに施されていることを特徴とする。この請求項７によれば、接合する異形ブロック間、該異形ブロックと異形ブロック片間及び異形ブロック片間に形成される目地溝の他に、それらの目地溝と全く異なる方向に浅い目地溝がランダムに施され、前記両目地溝により、後の目地詰めにより、より多くの自然石の細かな接合感が得られる。
【００１６】
請求項８に示す他の実施の一形態は、請求項５、６及び７の敷設方法において、使用される異形ブロックの周縁部に、接合する異形ブロックの周縁部との間でＶ状溝が構成される傾斜面が形成されてなることを特徴とする。この請求項８によれば、前記請求項６において述べたと同様に、接合する異形ブロック間及び異形ブロック片間に構成される目地巾が均一化され、敷設作業の容易化及び敷設後の体裁が向上する。
【００１７】
【発明の実施の形態】
以下、本発明の実施の一形態を図面に基づいて説明する。図１は、本発明の異形ブロックを構成する台形ブロックの平面図、図２は、本発明の異形ブロックの実施の一形態を示す平面図、図３は、図２のＩＩＩ−ＩＩＩ線断面図、図４乃至６は、異形ブロックの他の実施の一形態を示す平面図、図７は、敷設状態の実施の一形態を示す平面図、図８は、図７のＶＩＩＩ−ＶＩＩＩ線端面図、図９乃至図１２は、敷設状態の実施の一形態を示す平面図である。
【００１８】
図１に示す台形ブロックＥは、上辺Ｗ、垂直辺Ｘ、前記上辺Ｗに平行な下辺Ｙの長さ比が１：２：３に構成され、前記垂直辺Ｘの対向部に斜辺Ｚが形成されている。前記台形ブロックＥは、細分すると、同図に点線で示すように、直角二等辺三角形８個で構成されている。
【００１９】
図２に示す異形ブロックＡは、前記台形ブロックＥの６個のそれぞれが、切断可能なＶ状溝１を介して連結成形されている。もっとも、必ずしも、前記のごとく、６個の台形ブロックＥのそれぞれを切断可能なＶ状溝１を介して連結成形することを要しない。なお、同図及び図３中、５は、切断を予定せず、後の目地詰めにより装飾を兼ねる浅い目地溝である。
【００２０】
また、後に述べる敷設エリアの中央部に位置する異形ブロックの場合には、図４に示す異形ブロックＡ'のように切断可能なＶ状溝１を全く設ける必要がなく、切断を予定しない浅い目地溝５を上面にランダムに設け、その周辺の敷設に適宜、切断可能なＶ状溝１を有する異形ブロック１を切断利用すればよい。
【００２１】
前記切断可能なＶ状溝１は、その最も深い部分、すなわち、薄肉部分にたがね等を打ち込むことにより切断分離でき、該切断分離した場合に、該切断分離されたそれぞれの異形ブロック片２にも必然的に傾斜面３が形成される。
【００２２】
同時に、前記異形ブロックＡの周縁にも、他の異形ブロックＡ、前記異形ブロック片２と接合配置した場合に断面略Ｖ状溝が構成されるように、予め傾斜面４が形成されている。
【００２３】
すなわち、前記異形ブロックＡ同士、該異形ブロックＡと前記異形ブロック片２、該異形ブロック片２同士を接合配置した場合に、それぞれの接合部に必然的に均一なＶ状溝が構成され、敷設作業が容易であり、さらに後の目地詰が体裁よく行われるように構成されている。
【００２４】
図５及び図６には、異形ブロックＡの他の実施の一形態が示されている。図５に示す異形ブロックＡは、切断可能なＶ状溝１により、異形ブロック片Ｂ及びＣに二分割する例であり、図６に示す異形ブロックＡは、切断可能なＶ状溝１により、異形ブロック片Ｄ及び三個の異形ブロック片Ｅに四分割する例である。
【００２５】
なお、図中、５は、前記の異形ブロックＡの上面にランダムに施された浅い目地溝である。該浅い目地溝５は、前記したごとく、切断を予定しない目地溝であり、前記異形ブロックＡ同士、該異形ブロックＡと前記異形ブロック片２、該異形ブロック片２同士を接合配置した場合に生じる目地溝と異なる方向に施すことが望ましい。
【００２６】
つぎに前記異形ブロックＡ（Ａ'）、異形ブロック片Ｂ、Ｃ、Ｄ及びＥを利用した敷設方法について述べる。図７には前記異形ブロックＡ'及び異形ブロック片Ｂ、Ｃ、Ｄ及びＥ、図９乃至図１２には、前記異形ブロックＡ及び異形ブロック片Ｂ、Ｃ、Ｄ及びＥを使用した敷設状態が示されている。すなわち、図７、図９から図１２へ、順に敷設面積を増大した例であり、いずれの場合も、敷設端部の直線部や角部の形成も容易に行うことができる。
【００２７】
すなわち、図７は、図８についてみると、切断可能な溝１を有せず上面にランダムに浅い溝５が施された前記異形ブロックＡ'を中央に置き、その両側に前記異形ブロック片Ｂ及びＣを接合配置し、上下に前記異形ブロック片Ｄ及び台形ブロックＥが接合配置して敷設して、後に目地詰めが行われる。もっとも、前記異形ブロックＡ'に変えて、前記異形ブロックＡを中央において敷設して目地詰めを行ってもよい。
【００２８】
その他、図９、図１０、図１１及び図１２も基本的に同様であり、中央部に配置する前記異形ブロックＡ、あるいはＡ'の配置列を増大させることにより、自由に敷設面積の増大を図ることができる。なお、中央部に配置する異形ブロックは前記異形ブロックＡ，Ａ'に限ることなく、図５及び図６に示した異形ブロックでもよいことは勿論である、また、敷設面積の増大は、図９乃至図１２に示した横方向のみならず、上下方向にも自由にも可能である。
【００２９】
前記のごとくして、異形ブロックＡ、Ａ'及び異形ブロック片Ｂ、Ｃ、Ｄ及びＥを接合した後、該接合部に構成されたＶ状溝及び前記異形ブロックＡ、Ａ'及び異形ブロック片Ｂ、Ｃ、Ｄ及びＥの上面に切断されることなく残されているＶ状溝、さらに切断を予定せずに施された浅い目地溝に、砂、セメント、混和剤の空練りモルタル等により目地詰めが行われる。さらに、その後、必要に応じて表面仕上げ加工が施される。
【００３０】
【発明の効果】
本発明の異形ブロックは、上辺、垂直片、前記上辺に平行な下辺の長さ比が１：２：３であり、前記垂直辺の対向部に斜辺が形成された台形ブロックの適数が切断可能な溝を介して連結成形されたものであり、該異形ブロックと、該異形ブロックを適宜切断分離した異形ブロック片を組み合わせ使用することにより、必要とする各種エリアの自然石接合模様を得ることができ、その他、多様の敷設面を得ることができ斬新であるとともに、前記異形ブロック及び該異形ブロックを適宜切断分離した異形ブロック片を使用した敷設方法によれば、敷設端部の直線部や角部の形成も前記切断分離した異形ブロック片を利用して容易であり、切断分離した異形ブロック片の全部を有効利用でき無駄を生ぜしめることがない。
【図面の簡単な説明】
【図１】本発明の異形ブロックを構成する台形ブロックの示す平面図である。
【図２】本発明の異形ブロックの実施の一形態を示す平面図である。
【図３】図２のＩＩＩ−ＩＩＩ線断面図である。
【図４】異形ブロックの他の実施の一形態を示す平面図である。
【図５】異形ブロックの他の実施の一形態を示す平面図である。
【図６】異形ブロックの他の実施の一形態を示す平面図である。
【図７】敷設状態の実施の一形態を示す平面図である。
【図８】図７のＶＩＩＩ−ＶＩＩＩ線断面図である。
【図９】敷設状態の他の実施の一形態を示す平面図である。
【図１０】敷設状態の他の実施の一形態を示す平面図である。
【図１１】敷設状態の他の実施の一形態を示す平面図である。
【図１２】敷設状態の他の実施の一形態を示す平面図である。
【符号の説明】
１    Ｖ状溝
２    異形ブロック片
４    傾斜面
５    浅い目地溝
Ｅ    台形ブロック
Ｗ    上辺
Ｘ    垂直辺
Ｙ    下辺
Ｚ    斜辺
【図１】
0004325966.tif 000002
【図２】
0004325966.tif 000003
【図３】
0004325966.tif 000004
【図４】
0004325966.tif 000005
【図５】
0004325966.tif 000006
【図６】
0004325966.tif 000007
【図７】
0004325966.tif 000008
【図８】
0004325966.tif 000009
【図９】
0004325966.tif 000010
【図１０】
0004325966.tif 000011
【図１１】
0004325966.tif 000012
【図１２】
0004325966.tif 000013